(57)【要約】【課題】ユーザが意図しない時刻に電源が入ることの無いサービス情報取得機能を有するデジタル放送受信装置を提供する。【解決手段】サービス情報データの配信予定時刻と、ユーザが設定する取得予約時刻をタイマーマイコン４に記憶する。タイマーマイコン４は、これらの時刻の双方を満たす場合に、フロントエンド部２及び信号処理部３に電源を供給するよう電源部５を制御し、サービス情報取得部３１４によりデジタル放送信号に重畳されるサービス情報データを取得する。【選択図】図１
2008011094.tif 000002
【特許請求の範囲】
【請求項１】
符号化された映像音声データと、装置の更新のためのアップデートプログラムやＥＰＧ等のサービス情報データと、該サービス情報データの配信予定時刻情報である配信予定時刻データを含むデジタル放送信号を受信可能なチューナ部と、
受信した前記デジタル放送信号を復調する復調手段と、
復調した前記デジタル放送信号から前記映像音声データ及び前記サービス情報データを抽出すると共に、前記映像音声データを復号し、映像信号及び音声信号として処理を行う制御手段と、
装置の各部に電源を供給する電源供給手段と、を具備するデジタル放送受信装置であって、
該デジタル放送受信装置は、前記電源供給手段の電源供給に関する動作を制御する電源管理手段と、
ユーザが所望するサービス情報取得時刻の予約設定を記憶すると共に、該時刻においてサービス情報データの取得を行うサービス情報取得手段と、を備え、
前記デジタル放送信号から前記配信予定時刻データを検出した際、前記サービス情報取得手段は前記配信予定時刻データを記憶し、
現在時刻が配信予定時刻を経過し、且つ前記サービス情報取得手段に記憶したサービス情報取得の予約時刻に達した場合、前記サービス情報取得手段は前記電源管理手段を通じて前記電源供給手段をオン状態にして電源を供給すると共に、サービス情報データの取得を開始することを特徴とするデジタル放送受信装置。
【請求項２】
前記予約設定は、所定の頻度と所定の時刻の範囲を設定可能であることを特徴とする請求項１記載のデジタル放送受信装置。
【発明の詳細な説明】
【技術分野】
【０００１】
本発明は、ファームウェア更新プログラムやＥＰＧ（電子番組表）に代表される種々のサービス情報データの取得動作を制御する機能を有するデジタル放送受信装置に関する。
【背景技術】
【０００２】
近年、テレビジョン等の放送において、放送電波の復調方法がアナログ方式からデジタル方式へと移りつつある。デジタル方式による放送電波は、従来からあるアナログ方式と比較して、より多くの情報やデータを重畳することができ、これを利用した多種多様の機能を実現するデジタル放送受信装置が開示されている。
【０００３】
例えば、特許文献１では放送データに含まれるデータの受信予定時刻に基づいて、電力制御手段が受信すべき時間帯のみ電源部をオン状態にして特定回路に電源を供給することで、待機状態における消費電力を軽減させる方法を開示している。
【０００４】
また、特許文献２では、定期的に付加情報が更新されるデジタル放送の受信の際に、該デジタル放送に重畳される受信時刻や指定時刻を取得し、該当時刻に達する際にのみ自動的に電源を供給し、付加情報の取得及び更新を行う方法を開示している。
【０００５】
【特許文献１】特開２０００−２１７０８７号公報
【特許文献２】特開平１１−９８４８０号公報
【発明の開示】
【発明が解決しようとする課題】
【０００６】
しかしながら、特許文献１及び特許文献２の何れにおいても、放送信号に含まれる所定の時刻情報に基づいた電源制御を行うのみであり、ユーザの意図しない時刻において電源がオン状態となってしまっていた。これにより、例えばユーザが睡眠中であるにも関わらず、装置の電源がオンとなり、冷却用のファンや記録媒体等の回転による騒音が発生してしまうということがあった。
【０００７】
本発明は上記課題を鑑みてなされたものであり、ユーザが所望の時刻において、サービス情報データの取得動作を行うことが可能なデジタル放送受信装置を提供することを目的とする。
【課題を解決するための手段】
【０００８】
請求項１に係るデジタル放送受信装置は、符号化された映像音声データと、装置の更新のためのアップデートプログラムやＥＰＧ等のサービス情報データと、前記サービス情報データの配信予定時刻情報である配信予定時刻データを含むデジタル放送信号を受信可能なチューナ部と、
受信した前記デジタル放送信号を復調する復調手段と、
復調した前記デジタル放送信号から前記映像音声データ及び前記サービス情報データを抽出すると共に、前記映像音声データを復号し、映像信号及び音声信号として処理を行う制御手段と、
装置の各部に電源を供給する電源供給手段と、を具備するデジタル放送受信装置であって、
該デジタル放送受信装置は、前記電源供給手段の電源供給に関する動作を制御する電源管理手段と、
ユーザが所望するサービス情報取得時刻の予約設定を記憶すると共に、該時刻においてサービス情報データの取得を行うサービス情報取得手段と、を備え、
前記デジタル放送信号から前記配信予定時刻データを検出した際、前記サービス情報取得手段は前記配信予定時刻データを記憶し、
現在時刻が配信予定時刻を経過し、且つ前記サービス情報取得手段に記憶したサービス情報取得予約時刻に達した場合、前記サービス情報取得手段は前記電源管理手段を通じて前記電源供給手段をオン状態にして電源を供給すると共に、サービス情報データの取得を開始することを特徴とする。
【０００９】
請求項１の構成によれば、チューナにより受信し、復調手段により復調されたデジタル放送信号に含まれるサービス情報データの配信予定時刻を記憶し、更にユーザが所望のサービス情報取得時刻を設定し、その双方を満たす場合においてデジタル放送受信装置の各部に電源の供給を開始し、当該時刻に受信したデジタル放送信号からサービス情報データの取得を行うことができる。
【００１０】
請求項２に係るデジタル放送受信装置は、請求項１記載のデジタル放送受信装置において、前記予約設定は、所定の頻度と所定の時刻の範囲を設定可能であることを特徴とする。
【００１１】
請求項２の構成によれば、例えば毎日１回、毎週１回、毎月1回等といった所定の頻度を設定することができ、該当する日付において、ある時刻から時刻までの範囲においてデジタル放送受信装置のサービス情報取得を行うという予約設定ができる。
【発明の効果】
【００１２】
請求項１に係るデジタル放送受信装置は、符号化された映像音声データと、装置の更新のためのアップデートプログラムやＥＰＧ等のサービス情報データと、前記サービス情報データの配信予定時刻情報である配信予定時刻データを含むデジタル放送信号を受信可能なチューナ部と、
受信した前記デジタル放送信号を復調する復調手段と、
復調した前記デジタル放送信号から前記映像音声データ及び前記サービス情報データを抽出すると共に、前記映像音声データを復号し、映像信号及び音声信号として処理を行う制御手段と、
装置の各部に電源を供給する電源供給手段と、を具備するデジタル放送受信装置であって、
該デジタル放送受信装置は、前記電源供給手段の電源供給に関する動作を制御する電源管理手段と、
ユーザが所望するサービス情報取得時刻の予約設定を記憶すると共に、該時刻においてサービス情報データの取得を行うサービス情報取得手段と、を備え、
前記デジタル放送信号から前記配信予定時刻データを検出した際、前記サービス情報取得手段は前記配信予定時刻データを記憶し、
現在時刻が配信予定時刻を経過し、且つ前記サービス情報取得手段に記憶したサービス情報取得予約時刻に達した場合、前記サービス情報取得手段は前記電源管理手段を通じて前記電源供給手段をオン状態にして電源を供給すると共に、サービス情報データの取得を開始するので、また、デジタル放送信号からサービス情報データの配信予定時刻を取得し、更にユーザが任意のサービス情報データの取得時刻を設定することができ、双方を満たす時刻においてデジタル放送受信装置の電源をオン状態にすることができるため、ユーザが意図しない時刻にデジタル放送受信装置の電源がオン状態になり、ファンや記憶媒体の回転等の動作による騒音の発生を防止することができると共に、該当時刻以外においてデジタル放送受信装置の電源はオン状態にならないためサービス情報データを取得する際の待機状態における電力消費量を低減することができる。
【００１３】
請求項２に係るデジタル放送受信装置は、請求項１記載のデジタル放送受信装置において、前記予約設定は、所定の頻度と所定の時刻の範囲を設定可能であるので、１度の予約設定で、定期的に行われるサービス情報の配信に対対応することができる。
【発明を実施するための最良の形態】
【００１４】
以下、本発明を実施するための最良の形態としての実施例を図１から図５を参照して説明する。もちろん、本発明は、その発明の趣旨に反さない範囲で、実施例において説明した以外のものに対しても容易に適用可能なことは説明を要するまでもない。
【実施例１】
【００１５】
図１〜図４は、本発明の一実施例を示し、図１は、本実施例におけるデジタル放送受信装置の構成を示すブロック図である。図２は、デジタル放送信号から配信予定時刻データを取得した際の制御部の動作を示すフローチャート図である。図３はユーザによる取得時刻予約設定を行う際の表示画面例を示す説明図であり、（ａ）はユーザ設定の有効・無効の設定画面例であり、（ｂ）はユーザ設定を有効にした際のデータ取得スケジュールの設定画面例である。図４は配信予定時刻に達した際のデジタル放送受信装置の動作を示すフローチャート図である。
【００１６】
本実施例におけるデジタル放送受信装置の構成に付いて、図１に基づいて説明する。１はデジタル放送受信装置である。２はフロントエンド部であり、２１はデジタル放送信号を受信するためのチューナであり。２２はチューナ２１によって受信したデジタル放送信号を復調するための復調ＩＣである。３は信号処理部である。３１は制御部たるＣＰＵであり、ユーザによる操作等によりデジタル放送受信装置１の動作の制御を行と共に、サービス情報取得時刻の予約設定を行うものである。ＣＰＵ３１は復調ＩＣ２２から得られた映像信号を処理する映像信号処理部３１１と、同じく復調ＩＣから得られた音声信号を処理する音声信号処理部３１２と、ＭＰＥＧ方式によって符号化された映像音声信号を復号するＭＰＥＧデコーダ３１３と、復調されたデジタル放送信号から得られる、装置の更新のためのアップデートプログラムやＥＰＧ等のサービス情報データ、サービス情報データの配信予定時刻情報である配信予定時刻データ等を取得し、処理を行うサービス情報取得手段たるサービス情報取得部３１４を備える。３２はＣＰＵ３１の動作のための一時的な記憶領域であるメモリである。３３は、デジタル放送等の課金システムであるＢＣＡＳ部である。３４はデジタル放送の映像信号をデジタル信号からアナログ信号に変換する映像デジタルアナログコンバータ（以降、映像Ｄ／Ａコンバータと呼ぶ）である。４は、ＣＰＵ３１を通じてユーザにより設定されるサービス情報取得予約時刻やサービス情報取得部３１４から得る配信予定時刻データを記憶し、これらに基づいてフロントエンド部２や信号処理部３への電源供給を制御するための電源管理手段たるタイマーマイコンである。５はタイマーマイコン４からの電源制御に基づきフロントエンド部２や信号処理部３へ電源を供給する電源供給手段たる電源部である。
【００１７】
続いて受信したデジタル放送信号にサービス情報の配信予定時刻データが含まれている場合のサービス情報取得部３１４の当該データの取得動作について、図２に基づいて説明する。デジタル放送信号に配信予定時刻データが含まれているかを検出し（Ｓ０００１）、配信予定時刻データが含まれている場合、該当データの抽出を行い、取得する（Ｓ０００２）。取得した配信予定時刻データは、タイマーマイコン４に渡され、記憶される（Ｓ０００３）。
【００１８】
次に、ユーザがサービス情報データの取得の設定をする方法について、図３に基づいて説明する。図３（ａ）のように、メニュー画面等により、サービス情報データの取得の設定（図中における項目「ダウンロード」）をオンにすることにより、デジタル放送受信装置１はサービス情報データの取得動作を行う。オフにした場合は、サービス情報データの取得は行わない。サービス情報データの取得の設定をオンにした場合、図３（ｂ）に示すように、サービス情報データの取得動作の予約設定画面を表示し、ユーザに設定を促す。ここで設定された予約時刻に基づいて、後述のサービス情報取得動作を行う。
【００１９】
次に、サービス情報データを取得する際のデジタル放送受信装置１の動作について、図４に基づいて説明する。タイマーマイコン４に配信予定時刻データが記憶されているかを判別する（Ｓ１００１）。記憶されていない場合は、サービス情報データの取得処理は終了する（Ｓ１０１１）。記憶されている場合、現在時刻が配信予定時刻データの配信時刻を経過するまで待機状態となる（Ｓ１００２）。配信時刻を経過すると、次に前述のサービス情報データ取得動作の設定（図３（ａ）に示す画面で行われた設定）が有効か否かを判別する（Ｓ１００３）。無効である場合は、本動作を終了する（Ｓ１０１１）。有効の場合、現在時刻が設定された予約時刻（図３（ｂ）に示す画面で行われた設定）の範囲内であるか否かを判別する（Ｓ１００４）。範囲外である場合は、本動作を終了する（Ｓ１０１１）。範囲内である場合、タイマーマイコン４は、フロントエンド部２及び信号処理部３に電源を供給する（Ｓ１００５）。サービス情報取得部３１４は、復調ＩＣ２２から得られるデジタル放送信号からサービス情報データの取得を開始する（Ｓ１００６）。サービス情報データの取得が完了した後（Ｓ１００７）、該サービス情報データをメモリ３２等に展開し、それに基づいた処理（例えば、サービス情報データによるＣＰＵ３１やタイマーマイコン４のファームウェアの更新作業や、ＥＰＧ（電子番組表）の更新等）を開始する（Ｓ１００８）。ステップＳ１００８の処理が終了すると（Ｓ１００９）、フロントエンド部及び信号処理部への電源供給を停止し（Ｓ１０１０）、本動作を終了する。
【００２０】
以上のように構成されるデジタル放送受信装置１は、デジタル放送信号に重畳されるサービス情報データの取得を、ユーザが所望の時刻に行うよう、予約することができ、さらにその予約した時間に達するまでの待機電力を軽減することができる。また、サービス情報データの取得のために、ユーザの意図しない時刻に電源が入ることを防止することができ、例えば夜間に冷却用ファンや記憶媒体であるＨＤＤ等の回転による騒音を防止することができる。
【実施例２】
【００２１】
図５は、本発明の実施例２を示したものであり、前記実施例１と同一部分には同一符号を付し、重複する部分の説明を省略し、異なる部分についてのみ説明する。図２は、タイマーマイコン４を用いずＣＰＵ３１にて、電源管理手段を担う場合におけるデジタル放送受信装置１の動作を示している。サービス情報データの配信予定時刻に達した場合、まずフロントエンド部２及び信号処理部３の電源がオン状態であるかを判別する（Ｓ２００１）。オン状態の場合は後述のステップＳ２００２に移行する。オフ状態である場合は、ユーザが設定した与サービス情報取得予約時刻であるかを判別する（Ｓ２００４）。予約時刻でない場合は動作を終了し、予約時刻に達する場合は、ＣＰＵ３１はフロントエンド部２及び信号処理部３に電源供給を開始する（Ｓ２００５）。サービス情報データの更新日時等により、既に記憶されているデータとの新旧を比較し（Ｓ２００２）、古いものであれば動作を終了し、新しいものであればサービス情報の取得を開始する（Ｓ２００３）。以降の処理は、図４のステップＳ１００７以降と同様である。
【００２２】
以上のように構成されるデジタル放送受信装置１によれば、実施例１と異なり、タイマーマイコン４のような電子部品を必要とせず、装置構成を簡略化することができ、製造コストの削減を図ることができる。
【００２３】
以上、本発明の実施例について詳述したが、本発明の前記各実施例に限定されるものではなく、本発明の要旨の範囲内で種々の変形実施は可能である。例えば、本実施例において、デジタル放送受信装置として説明したが、これに限定せずに、デジタル放送を受信可能な構成を有する記録再生装置やテレビジョン受像機等であっても何ら問題はない。
【図面の簡単な説明】
【００２４】
【図１】本発明の実施例１における、デジタル放送受信装置の構成を示すブロック図である。
【図２】同上、デジタル放送受信装置のサービス情報配信時刻を取得する動作を示すフローチャート図である。
【図３】同上、サービス情報取得予約を行う画面表示例を示す説明図であり、（ａ）はサービス情報取得設定を、（ｂ）は取得時刻の予約設定を行う画面表示例である。
【図４】同上、デジタル放送受信装置のサービス情報データ取得の際の動作を示すフローチャート図である。
【図５】本発明の実施例２における、デジタル放送受信装置のサービス情報データ取得の際の動作を示すフローチャート図である。
【符号の説明】
【００２５】
１      デジタル放送受信装置
２      フロントエンド部
２１    チューナ
２２    復調ＩＣ
３      信号処理部
３１    ＣＰＵ（制御部）
３１４  サービス情報取得部
４      タイマーマイコン（電源管理手段）
５      電源部（電源供給手段）
【図１】
2008011094.tif 000003
【図２】
2008011094.tif 000004
【図３】
2008011094.tif 000005
【図４】
2008011094.tif 000006
【図５】
2008011094.tif 000007